(57)【要約】本発明は、クライアント（Ｃ）に関する情報を第１のウェブサーバ（ＷＳ１）へ提供するための方法に関する。本発明は更に、本発明による方法を実行するためのプロキシサーバ、プロキシサーバにロード可能なプログラム、ウェブサーバ及びウェブサーバにロード可能なプログラムに関する。第２のウェブサーバ（ＷＳ２）はクライアント（Ｃ）に関する情報を格納し、第１のウェブサーバ（ＷＳ１）はプロキシサーバ（ＰＳ）を介してクライアント（Ｃ）に接続される。プロキシサーバは、クライアント（Ｃ）に関連し、第２のウェブサーバ（ＷＳ２）のネットワークアドレスを含む、前記第１のウェブサーバ（ＷＳ１）用のクッキーを格納する。クライアント（Ｃ）は、プロキシサーバ（ＰＳ）を介してメッセージを第１のウェブサーバ（ＷＳ１）へ送信する。メッセージはプロキシサーバで受信され、プロキシサーバはクッキーをこのメッセージへ挿入して第１のウェブサーバ（ＷＳ１）へ転送する。第１のウェブサーバ（ＷＳ１）はメッセージを受信し、第２のウェブサーバ（ＷＳ２）のネットワークアドレスをクッキーから読み出し、クライアント（Ｃ）に関する情報を第２のウェブサーバ（ＷＳ２）へ要求する。第２のウェブサーバ（ＷＳ２）は、クライアント（Ｃ）に関する情報を、第１のウェブサーバ（ＷＳ１）へ送信する。
2005531054.tif 000002
【特許請求の範囲】
【請求項１】
第２のウェブサーバ（ＷＳ２；ＷＳ２２）がクライアント（Ｃ；Ｃ２）に関する情報を格納し、第１のウェブサーバ（ＷＳ１；ＷＳ１２）がプロキシサーバ（ＰＳ；ＰＳ２）を介して前記クライアント（Ｃ；Ｃ２）に接続される構成において、前記クライアント（Ｃ；Ｃ２）に関する情報を前記第１のウェブサーバ（ＷＳ１；ＷＳ１２）に供給するための方法であって、
前記クライアント（Ｃ；Ｃ２）に関連し、前記第２のウェブサーバ（ＷＳ２；ＷＳ２２）のネットワークアドレスを含む、前記第１のウェブサーバ（ＷＳ１；ＷＳ１２）用のクッキーを、前記プロキシサーバ（ＰＳ；ＰＳ２）に格納するステップと、
前記プロキシサーバ（ＰＳ；ＰＳ２）を介して、前記第１のウェブサーバ（ＷＳ１；ＷＳ１２）へメッセージ（１；１２）を送信するステップと、
前記メッセージ（１；１２）を前記プロキシサーバ（ＰＳ；ＰＳ２）で受信するステップと、
前記クッキーを前記メッセージ（１；１２）へ挿入するステップと、
前記メッセージ（１；１２）を前記第１のウェブサーバ（ＷＳ１；ＷＳ１２）へ転送するステップと、
前記メッセージ（１；１２）を前記第１のウェブサーバ（ＷＳ１；ＷＳ１２）で受信するステップと、
前記クッキーから前記第２のウェブサーバ（ＷＳ２；ＷＳ２２）のネットワークアドレスを読み出すステップと、
前記クライアント（Ｃ；Ｃ２）に関する情報を前記第２のウェブサーバ（ＷＳ２；ＷＳ２２）に要求（２；２２）するステップと、
前記クライアント（Ｃ；Ｃ２）に関する情報に対する前記要求（２；２２）を、前記第２のウェブサーバ（ＷＳ２；ＷＳ２２）で受信するステップと、
前記クライアント（Ｃ；Ｃ２）に関する情報を、前記第１のウェブサーバ（ＷＳ１；ＷＳ１２）へ送信するステップとを有することを特徴とする方法。
【請求項２】
第１のウェブサーバ（ＷＳ１；ＷＳ１２）がプロキシサーバ（ＰＳ；ＰＳ２）を介してクライアント（Ｃ；Ｃ２）に接続される構成において、第２のウェブサーバ（ＷＳ２；ＷＳ２２）に格納される、前記クライアント（Ｃ；Ｃ２）に関する情報を、前記第１のウェブサーバ（ＷＳ１、ＷＳ１２）に供給するための方法であって、
前記プロキシサーバ（ＰＳ；ＰＳ２）において、
前記クライアント（Ｃ；Ｃ２）に関連し、前記第２のウェブサーバ（ＷＳ２；ＷＳ２２）のネットワークアドレスを含む、前記第１のウェブサーバ（ＷＳ１；ＷＳ１２）用のクッキーを格納するステップと、
前記第１のウェブサーバ（ＷＳ１；ＷＳ１２）宛のメッセージ（１；１２）を受信するステップと、
前記クッキーを前記メッセージ（１；１２）へ挿入するステップと、
前記メッセージ（１；１２）を前記第１のウェブサーバ（ＷＳ１；ＷＳ１２）へ転送するステップとを有することを特徴とする方法。
【請求項３】
前記クライアント（Ｃ；Ｃ２）が移動端末であり、前記プロキシサーバ（ＰＳ；ＰＳ２）が無線アプリケーションプロトコルゲートウェイ又はハイパーテキスト転送プロトコルプロキシサーバの少なくとも１つであり、  前記クライアント（Ｃ；Ｃ２）の前記第１のウェブサーバ（ＷＳ１；ＷＳ１２）へのコネクションが、前記クライアント（Ｃ；Ｃ２）と前記プロキシサーバ（ＰＳ；ＰＳ２）との間の、無線アプリケーションプロトコル又はハイパーテキスト転送プロトコルによる第１のコネクションと、前記プロキシサーバ（ＰＳ；ＰＳ２）と前記第１のウェブサーバ（ＷＳ１；ＷＳ１２）との間の、ハイパーテキスト転送プロトコルによる第２のコネクションとを含むことを特徴とする請求項２記載の方法。
【請求項４】
前記第２のウェブサーバ（ＷＳ２；ＷＳ２２）による、ハイパーテキスト転送プロトコルによるセッション中に前記クッキーが前記プロキシサーバ（ＰＳ；ＰＳ２）へ送信されることを特徴とする請求項２又は請求項３記載の方法。
【請求項５】
クライアント（Ｃ；Ｃ２）に関する情報を、第１のウェブサーバ（ＷＳ１；ＷＳ１２）から前記クライアント（Ｃ；Ｃ２）に関する情報を保持する第２のウェブサーバ（ＷＳ２；ＷＳ２２）へ要求するための方法であって、
メッセージ（１；１２）を、前記第２のウェブサーバ（ＷＳ２；ＷＳ２２）のネットワークアドレスを含むクッキーとともに、プロキシサーバ（ＰＳ；ＰＳ２）から受信するステップと、
前記クッキーから前記第２のウェブサーバ（ＷＳ２；ＷＳ２２）の前記ネットワークアドレスを読み出すステップと、
前記クライアント（Ｃ；Ｃ２）に関する前記情報を、前記第２のウェブサーバ（ＷＳ２；ＷＳ２２）に要求（２；２２）するステップとを有することを特徴とする方法。
【請求項６】
前記第２のウェブサーバ（ＷＳ２２）への前記要求（２２）が、前記クライアント（Ｃ２）を介して送信されることを特徴とする請求項５記載の方法。
【請求項７】
前記第１のウェブサーバ（ＷＳ１；ＷＳ１２）が前記クライアント（Ｃ；Ｃ２）に関する情報を受信することを特徴とする請求項５又は請求項６記載の方法。
【請求項８】
前記クライアント（Ｃ；Ｃ２）に関する情報が、前記ウェブサーバに関して前記クライアント（Ｃ；Ｃ２）の認証を行うことを特徴とする請求項７記載の方法。
【請求項９】
前記クライアント（Ｃ；Ｃ２）に関する情報が、前記ウェブサーバに関して前記クライアント（Ｃ；Ｃ２）に権限を与えることを特徴とする請求項７又は請求項８記載の方法。
【請求項１０】
前記第２のウェブサーバ（ＷＳ２；ＷＳ２２）が、支払いサーバ、電子メールサーバ、認証サーバ又はチケット発行サーバの少なくとも１つであることを特徴とする請求項５乃至請求項９のいずれか１項に記載の方法。
【請求項１１】
通信ネットワークのためのプロキシサーバ（ＰＳ；ＰＳ２）であって、クッキーを格納するためのメモリと、メッセージを送受信するためのインタフェースと、請求項２乃至請求項４のいずれか１項に記載の方法を実行するように適合された処理システムを有することを特徴とするプロキシサーバ。
【請求項１２】
通信ネットワーク内のプロキシサーバ（ＰＳ；ＰＳ２）にロード可能なプログラムであって、クライアント（Ｃ；Ｃ２）に関連し、また第２のウェブサーバ（ＷＳ２；ＷＳ２２）のネットワークアドレスを含む、第１のウェブサーバ（ＷＳ１；ＷＳ１２）用のクッキーを格納するように適合されたコードを含み、クライアント（Ｃ；Ｃ２）から第１のウェブサーバ（ＷＳ１；ＷＳ１２）へのメッセージ（１；１２）を含むメッセージを処理するように適合されるとともに、前記クッキーを前記メッセージ（１；１２）へ挿入し、当該メッセージ（１；１２）を前記第１のウェブサーバ（ＷＳ１；ＷＳ１２）へ転送するように適合されたコードを含むことを特徴とするプログラム。
【請求項１３】
通信ネットワークにおけるウェブサーバであって、  メッセージを送受信するためのインタフェースと、  クッキーから第２のウェブサーバ（ＷＳ２；ＷＳ２２）のネットワークアドレスを読み出し、クライアント（Ｃ；Ｃ２）に関する情報の要求を前記第２のウェブサーバ（ＷＳ２；ＷＳ２２）へ送信するように適合される処理システムを有することを特徴とするウェブサーバ。
【請求項１４】
通信ネットワーク内のウェブサーバにロード可能なプログラムであって、  第２のウェブサーバ（ＷＳ２；ＷＳ２２）のネットワークアドレスを含むクッキーを含む、プロキシサーバ（ＰＳ；ＰＳ２）からのメッセージ（１；１２）と、クライアント（Ｃ；Ｃ２）に関する情報を要求する、第２のウェブサーバ（ＷＳ２；ＷＳ２２）への要求（２；２２）とを含むメッセージを処理するように適合されるコードと、前記クッキーから前記第２のウェブサーバ（ＷＳ２；ＷＳ２２）のネットワークアドレスを読み出し、前記クライアント（Ｃ；Ｃ２）に関する情報の前記要求（２；２２）を前記第２のウェブサーバ（ＷＳ２；ＷＳ２２）へ送信するように適合されているコードを含むことを特徴とするプログラム。
【発明の詳細な説明】
【技術分野】
【０００１】
本発明はウェブサーバに、クライアントに関する情報を提供する方法に関する。本発明は更に、本発明による方法を実行するためのプロキシサーバ、プロキシサーバにロード可能なプログラム、ウェブサーバ及びウェブサーバにロード可能なプログラムに関する。
【背景技術】
【０００２】
インターネットにおいて、第１のウェブサーバは、クライアントへサービスを提供するため、そのクライアントへ接続することが可能である。第１のウェブサーバは、第２のウェブサーバが保持しているそのクライアントに関する情報を必要とするかもしれない。クライアントに関する情報の例としては、ウェブサーバによりそのクライアントにサービスを提供可能になる前に行わねばならない、モバイル・ペイメント(mobile payment)の承認がある。この例では、第２のウェブサーバが支払いサーバ、例えば機密電子商取引ウォレットサーバであっても良い。
【０００３】
他の例としては、電子メールサーバに保持されている電子メール、認証サーバによって行われるべき認証又はチケット発行サーバ(ticketing server)が提供する電子チケットなどがある。クライアントに関する情報にアクセスするには、第２のウェブサーバのＩＰアドレスが第１のウェブサーバへ与えられねばならない。
【０００４】
Konrad Wrona及びTerence Trenchは、非特許文献１において、この問題の解決策を提案した。この方法によれば、クライアントのネットワークアドレスと第２のウェブサーバのウェブアドレスとのマッピングが、第３のウェブサーバによって提供される。この方法は、クライアントのネットワークアドレスと第２のウェブサーバのウェブアドレスとのマッピングを提供する第３のウェブサーバの維持という問題を引き起こす。これは、クライアントのネットワークアドレスとウェブサーバのウェブアドレスとのマッピングの数が多くなった場合特に困難であり、結果として２つのアドレス形式間のマッピングを行う機能をネットワーク内に分散させねばならなくなる。
【０００５】
従って、本発明の目的は、クライアントに関する情報をウェブサーバに提供するための簡単な方法を提供することである。
【０００６】
【非特許文献１】Konrad Wrona及びTerence Trench、”ｍ−コマース環境におけるカード支払い処理−実現可能性の検討(Card Payment Transactions in an m-Commerce Environment - Feasibility Study)”，無線アプリケーションパートフォーラムミーティング，２０００年１２月１０〜１５日
【発明の開示】
【０００７】
この目的は、請求項１、２及び５に係る方法、請求項１１に係るプロキシサーバ、請求項１２に係る、プロキシサーバにロード可能なプログラム(program unit)、請求項１３に係るウェブサーバ及び請求項１４に係る、ウェブサーバにロード可能なプログラムによって達成される。好適な実施形態は従属項に記述される。
【０００８】
提案される方法の長所は、第２のウェブサーバのネットワークアドレスがプロキシサーバに格納され、ただ１つのプロキシサーバがクライアントに関連することである。これは、第２のウェブサーバのネットワークアドレスをプロキシサーバで容易に維持することが可能であるため、有利である。さらなる利点は、第２のウェブサーバのネットワークアドレスがクライアントとウェブサーバとのセッション中に送られるため、第３のウェブサーバへのコンタクトが不要なことである。
【０００９】
第２のウェブサーバによる、ハイパーテキスト転送プロトコルに従ったセッション中にクッキーがプロキシサーバへ送信される方法が好ましい。第２のウェブサーバは自分のネットワークアドレスを保持しているため、これは、第２のウェブサーバのネットワークアドレスをプロキシサーバに与える簡単な方法である。
【００１０】
他の好適な実施形態では、要求がクライアントを介して第２のウェブサーバへ送信される。この方法は、クライアントとウェブサーバとの間で既に存在しているセッションを要求の送信に用いることができるため、有利である。
【００１１】
クライアントに関する情報をウェブサーバに要求及び提供するための簡便な方法は、情報がウェブサーバに関するクライアントの認証(authentication)を行ったり、クライアントへウェブサーバに対する権限を与えたり(authorize)する場合特に必要とされる。
【発明を実施するための最良の形態】
【００１２】
以下、本発明を実施形態及び図面を用いてより詳細に説明する。同一参照記号は同一要素を示す。
【００１３】
図１は、本発明による方法を用いるためのアーキテクチャ及び信号の流れの例を示す。図において、クライアントＣはプロキシサーバＰＳを介して第１のウェブサーバＷＳに接続されている。図１においては、さらに第２のウェブサーバＷＳ２が示されている。クライアントＣから第１のウェブサーバＷＳ１へ送信されるメッセージ１、第１のウェブサーバＷＳ１から第２のウェブサーバＷＳ２への要求２及び第２のウェブサーバＷＳ２から第１のウェブサーバＷＳ１への応答３が、矢印によって示されている。メッセージ１、要求２及び応答３の内容は、図２に示す信号の流れの説明と共に説明する。
【００１４】
図２は、本発明による別の信号フローを示す。図において、クライアントＣ２は、プロキシサーバＰＳ２を介して第１のウェブサーバＷＳ１２及び第２のウェブサーバＷＳ２２へ接続されている。代替信号フローは、クライアントＣ２から第１のウェブサーバＷＳ１２へ送信されるメッセージ１２、第１のウェブサーバＷＳ１２から第２のウェブサーバＷＳ２２への要求２２及び第２のウェブサーバＷＳ２２からクライアントＣ２を介して第１のウェブサーバＷＳ１２への応答３２が、矢印によって示されている。
【００１５】
クライアントＣ、Ｃ２は、移動端末であってよく、プロキシサーバＰＳ、ＰＳ２は無線アプリケーションプロトコル（ＷＡＰ）ゲートウェイ又はハイパーテキスト転送プロトコル（ＨＴＴＰ）プロキシサーバであってよい。クライアントＣ、Ｃ２のユーザは、第１のウェブサーバＷＳ１、ＷＳ１２を介してサービスを提供する第１のサービスプロバイダからの第１のサービスを要求している。このサービスはディジタルコンテンツを提供するためのサービス、クライアントＣ、Ｃ２のユーザに物理的な物品を供給するためのサービス、又は他のサービスを提供するためのサービスであってよい。サービスがディジタルコンテンツを提供するためのサービスである場合、第１のウェブサーバＷＳ１、ＷＳ１２は例えばマルチメディアストリームを格納するマルチメディアサーバであってよい。クライアントＣ、Ｃ２のユーザは、第２のウェブサーバＷＳ２、ＷＳ２２を介してクライアントＣ、Ｃ２のユーザに別のサービスを提供する第２のサービスプロバイダに登録(subscribe)されている。第２のウェブサーバＷＳ２、ＷＳ２２は例えば電子メールサーバ、認証サーバ、チケット発行サーバ又は機密電子商取引ウォレットサーバのような支払いサーバであって良い。第２のウェブサーバＷＳ２、ＷＳ２２は、例えば第１のサーバＷＳ１、ＷＳ１２によってクライアントＣ、Ｃ２のユーザに提供されるサービスに関する権利(right)を与えることができる。これを実現するため、第２のウェブサーバＷＳ２、ＷＳ２２はクライアントＣ、Ｃ２のユーザに対する認証データ、電子チケット又は電子決済に関するデータを格納することができる。
【００１６】
クライアントＣ、Ｃ２は、プロキシサーバＰＳ、ＰＳ２を介して第２のウェブサーバＷＳ２、ＷＳ２２とのコネクションを確立する。クライアントＣ、Ｃ２が携帯端末で、かつプロキシサーバＰＳ、ＰＳ２が無線アプリケーションプロトコルゲートウェイである場合、クライアントＣ、Ｃ２と第２のウェブサーバＷＳ２、ＷＳ２２との間のコネクションは、クライアントＣ、Ｃ２とプロキシサーバＰＳ、ＰＳ２との間の無線アプリケーションプロトコル上の第１のコネクションと、プロキシサーバＰＳ、ＰＳ２と第２のウェブサーバＷＳ２、ＷＳ２２との間のハイパーテキスト転送プロトコル上の第２のコネクションとを含むことができる。代替構成として、プロキシサーバＰＳ、ＰＳ２がハイパーテキスト転送プロトコルプロキシサーバであって良く、この場合クライアントＣ、Ｃ２と第２のウェブサーバＷＳ２、ＷＳ２２との間のコネクションは、クライアントＣ、Ｃ２とプロキシサーバＰＳ、ＰＳ２との間のハイパーテキスト転送プロトコル上の第１のコネクションと、プロキシサーバＰＳ、ＰＳ２と第２のウェブサーバＷＳ２、ＷＳ２２との間のハイパーテキスト転送プロトコル上の第２のコネクションとを含むことができる。無線アプリケーションプロトコルに従って第１の種類のクライアントにコネクションを提供し、ハイパーテキスト転送プロトコルに従って第２の種類のクライアントにコネクションを提供するため、プロキシサーバＰＳ、ＰＳ２は無線アプリケーションプロトコルゲートウェイの機能及びハイパーテキスト転送プロトコルプロキシサーバの機能の両方を提供することができる。
【００１７】
第２のウェブサーバＷＳ２、ＷＳ２２は、ハイパーテキスト転送プロトコルに従い、セッション中にクッキー(cookie)を含むメッセージをプロキシサーバＰＳ、ＰＳ２へ送信する。このクッキーはクライアントＣ、Ｃ２に関連し、また第２のウェブサーバＷＳ２、ＷＳ２２のネットワークアドレスを含んでいる。プロキシサーバＰＳ、ＰＳ２は第１のウェブサーバＷＳ１、ＷＳ１２についてのクッキーを格納している。
【００１８】
クライアントＣ、Ｃ２は、例えば第１のウェブサーバＷＳ１、ＷＳ１２からディジタルコンテンツを受信するため、プロキシサーバＰＳ、ＰＳ２を介して第１のウェブサーバＷＳ１、ＷＳ１２へのコネクションを確立する。
【００１９】
第１のサーバＷＳ１、ＷＳ１２は、第２のウェブサーバＷＳ２、ＷＳ２２に格納されているクライアントＣ、Ｃ２に関する情報を要求する。この情報は例えば第１のウェブサーバＷＳ１、ＷＳ１２によって提供されるディジタルコンテンツへのアクセスを許可するチケットや、第１のウェブサーバＷＳ１、ＷＳ１２に関してクライアントＣ、Ｃ２のユーザを認証する(authenticate)情報であってよい。この情報はクライアントＣ、Ｃ２のユーザに対して第１のウェブサーバＷＳ１、ＷＳ１２に関する権限を与えて(authorize)も良いし、第１のウェブサーバＷＳ１、ＷＳ１２が提供するサービス、物理的な物品又はディジタルコンテンツに対する支払いに関する情報であってもよい。
【００２０】
クライアントＣ、Ｃ２は、プロキシサーバＰＳ、ＰＳ２を介して第１のウェブサーバＷＳ１、ＷＳ１２へメッセージ１、１２を送信する。プロキシサーバＰＳ、ＰＳ２は第２のウェブサーバＷＳ２、ＷＳ２２のネットワークアドレスを第１のウェブサーバＷＳ１、ＷＳ１２へ供給するため、メッセージ１、１２を受信し、メッセージ１、１２へクッキーを挿入して第１のウェブサーバＷＳ１、ＷＳ１２へ転送する。第１のウェブサーバＷＳ１、ＷＳ１２はクッキーを含んだメッセージ１、１２を受信し、クッキーから第２のウェブサーバＷＳ２、ＷＳ２２のネットワークアドレスを読み出して、第２のウェブサーバＷＳ２、ＷＳ２２にクライアントＣ、Ｃ２に関する情報を要求２、２２する。図２に示す別の信号フローでは、第２のウェブサーバＷＳ２２への要求２２がクライアントＣ２へ送信され、クライアントＣ２によって第２のウェブサーバＷＳ２２へリダイレクト又は転送される。
【００２１】
第２のウェブサーバＷＳ２、ＷＳ２２は、クライアントＣ、Ｃ２に関する情報を、応答３、３２の中で第１のウェブサーバＷＳ１、ＷＳ１２へ送信する。図２に示す別の信号フローでは、応答３２はクライアントＣ２を介して送信される。第１のウェブサーバＷＳ１、ＷＳ１２はクライアントＣ、Ｃ２に関する情報を受信する。受信した情報は、第１のウェブサーバＷＳ１、ＷＳ１２に関してクライアントＣ、Ｃ２の認証を行ったり、権限を与えたりすることができる。第２のウェブサーバＷＳ２、ＷＳ２２から受信した情報に従い、第１のウェブサーバＷＳ１、ＷＳ１２はクライアントＣ、Ｃ２にサービスを提供するかを決定することができる。第１のウェブサーバは、例えばディジタルコンテンツへのアクセスを提供するため、又は物理的な物品をクライアントＣ、Ｃ２のユーザに供給するための決定を、第２のウェブサーバＷＳ２、ＷＳ２２から受信した情報に基づいて決定することができる。
【００２２】
本発明の好ましい実施形態において、本発明による方法を用いる通信ネットワークのためのプロキシサーバＰＳ、ＰＳ２は、クッキーを格納するためのメモリ、メッセージを送受信するためのインタフェース及び、ハイパーテキスト転送プロトコルに従ったセッションにおいて第２のウェブサーバＷＳ２、ＷＳ２２のネットワークアドレスを含んだクッキーを受信するように適合された処理システムを含む。この処理システムは、クライアントＣ、Ｃ２に関連し、第２のウェブサーバＷＳ２、ＷＳ２２のネットワークアドレスを含む、第１のウェブサーバＷＳ１、ＷＳ１２用のクッキーを格納するように適合される。また、この処理システムは、第１のウェブサーバＷＳ１、ＷＳ１２宛のメッセージ１、１２を受信し、このメッセージ１、１２にクッキーを挿入し、メッセージ１、１２を第１のウェブサーバＷＳ１、ＷＳ１２へ転送するように適合される。
【００２３】
本発明が提案する方法を用いるためのプログラム(program unit)は、通信ネットワークにおけるプロキシサーバＰＳ、ＰＳ２にロードすることが可能である。このプログラムは、例えばデータ保持媒体(data carrier)、例えば磁気記録媒体や光学記憶媒体に格納することができる。さらにこのプログラムは、例えばデータリンクを介してプロキシサーバＰＳ、ＰＳ２にロード可能な信号列として実施することもできる。プログラムは、クライアントＣ、Ｃ２に関連し、また第２のウェブサーバＷＳ２、ＷＳ２２のネットワークアドレスを含む、第１のウェブサーバＷＳ１、ＷＳ１２用のクッキーを格納させるように適合されたコードを含む。また、プログラムはクライアントＣ、Ｃ２から第１のウェブサーバＷＳ１、ＷＳ１２へのメッセージ１、１２を含むメッセージを処理するように適合される。プログラムは更に、クッキーをメッセージ１、１２へ挿入し、そのメッセージ１、１２を第１のウェブサーバＷＳ１、ＷＳ１２へ転送するように適合されたコードを含む。
【００２４】
本発明の好ましい実施形態において、本発明による方法を用いる通信ネットワークのためのウェブサーバＷＳ１、ＷＳ１２は、メッセージを送受信するためのインタフェースを有する。ウェブサーバＷＳ１、ＷＳ１２はさらに、クッキーから第２のウェブサーバＷＳ２、ＷＳ２２のネットワークアドレスを読み出し、クライアントＣ、Ｃ２に関する情報の要求を第２のウェブサーバＷＳ２、ＷＳ２２へ送信するように適合される処理システムを含む。
【００２５】
本発明が提案する方法を用いるための別のプログラム(program unit)は、通信ネットワークにおけるウェブサーバＷＳ１、ＷＳ１２にロードすることが可能である。この別のプログラムは、例えばデータ保持媒体(data carrier)、例えば磁気記録媒体や光学記憶媒体に格納することができる。さらにこの別のプログラムは、例えばデータリンクを介してウェブサーバにロード可能な信号列として実施することもできる。この別のプログラムは、プロキシサーバＰＳ、ＰＳ２からのメッセージ１、１２及び第２のウェブサーバＷＳ２、ＷＳ２２への要求２、２２を含むメッセージを処理するように適合されるコードを含む。プロキシサーバＰＳ、ＰＳ２からのメッセージ１、１２は、第２のウェブサーバＷＳ２、ＷＳ２２のネットワークアドレスを含んだクッキーを含む。第２のウェブサーバＷＳ２、ＷＳ２２への要求２、２２は、クライアントＣ、Ｃ２に関連する情報を要求する。この別のプログラムは、クッキーから第２のウェブサーバＷＳ２、ＷＳ２２のネットワークアドレスを読み出し、クライアントＣ、Ｃ２に関する情報の要求２、２２を第２のウェブサーバＷＳ２、ＷＳ２２へ送信するように適合されたコードを含む。
【図面の簡単な説明】
【００２６】
【図１】本発明による方法を用いるアーキテクチャ及び信号の流れを示す図である。
【図２】本発明による方法を用いる別の信号の流れを示す図である。
【図１】
2005531054.tif 000003
【図２】
2005531054.tif 000004
【手続補正書】
【提出日】平成16年6月26日(2004.6.26)
【手続補正１】
【補正対象書類名】特許請求の範囲
【補正対象項目名】全文
【補正方法】変更
【補正の内容】
【特許請求の範囲】
【請求項１】
第１のウェブサーバ（ＷＳ１；ＷＳ１２）がプロキシサーバ（ＰＳ；ＰＳ２）を介してクライアント（Ｃ；Ｃ２）に接続される構成において、第２のウェブサーバ（ＷＳ２；ＷＳ２２）に格納される、前記クライアント（Ｃ；Ｃ２）に関する情報へのアクセスを、前記第１のウェブサーバ（ＷＳ１、ＷＳ１２）に供給するための方法であって、
前記プロキシサーバ（ＰＳ；ＰＳ２）において、
前記クライアント（Ｃ；Ｃ２）に関連し、前記第２のウェブサーバ（ＷＳ２；ＷＳ２２）のネットワークアドレスを含む、前記第１のウェブサーバ（ＷＳ１；ＷＳ１２）用のクッキーを格納するステップと、
前記第１のウェブサーバ（ＷＳ１；ＷＳ１２）宛のメッセージ（１；１２）を受信するステップと、
前記クッキーを前記メッセージ（１；１２）へ挿入するステップと、
前記メッセージ（１；１２）を前記第１のウェブサーバ（ＷＳ１；ＷＳ１２）へ転送するステップとを有し、
前記クッキーが、前記第２のウェブサーバ（ＷＳ２；ＷＳ２２）による、ハイパーテキスト転送プロトコルによるセッション中に前記プロキシサーバ（ＰＳ；ＰＳ２）へ送信されることを特徴とする方法。
【請求項２】
前記クライアント（Ｃ；Ｃ２）が移動端末であり、前記プロキシサーバ（ＰＳ；ＰＳ２）が無線アプリケーションプロトコルゲートウェイ又はハイパーテキスト転送プロトコルプロキシサーバの少なくとも１つであり、  前記クライアント（Ｃ；Ｃ２）の前記第１のウェブサーバ（ＷＳ１；ＷＳ１２）へのコネクションが、前記クライアント（Ｃ；Ｃ２）と前記プロキシサーバ（ＰＳ；ＰＳ２）との間の、無線アプリケーションプロトコル又はハイパーテキスト転送プロトコルによる第１のコネクションと、前記プロキシサーバ（ＰＳ；ＰＳ２）と前記第１のウェブサーバ（ＷＳ１；ＷＳ１２）との間の、ハイパーテキスト転送プロトコルによる第２のコネクションとを含むことを特徴とする請求項１記載の方法。
【請求項３】
通信ネットワークのためのプロキシサーバ（ＰＳ；ＰＳ２）であって、クッキーを格納するためのメモリと、メッセージを送受信するためのインタフェースと、請求項１又は請求項２に記載の方法を実行するように適合された処理システムを有することを特徴とするプロキシサーバ。
【請求項４】
通信ネットワーク内のプロキシサーバ（ＰＳ；ＰＳ２）にロード可能なプログラムであって、クライアント（Ｃ；Ｃ２）に関連し、また第２のウェブサーバ（ＷＳ２；ＷＳ２２）のネットワークアドレスを含む、第１のウェブサーバ（ＷＳ１；ＷＳ１２）用のクッキーを格納するように適合されたコードを含み、クライアント（Ｃ；Ｃ２）から第１のウェブサーバ（ＷＳ１；ＷＳ１２）へのメッセージ（１；１２）を含むメッセージを処理するように適合されるとともに、前記クッキーを前記メッセージ（１；１２）へ挿入し、当該メッセージ（１；１２）を前記第１のウェブサーバ（ＷＳ１；ＷＳ１２）へ転送するように適合されたコードを含み、
前記クッキーが、前記第２のウェブサーバ（ＷＳ２；ＷＳ２２）による、ハイパーテキスト転送プロトコルによるセッション中に前記プロキシサーバ（ＰＳ；ＰＳ２）へ送信されることを特徴とするプログラム。
【国際調査報告】
2005531054.tif 000005
2005531054.tif 000006
2005531054.tif 000007